【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
潤滑油組成物であって、
ａ）５０重量％を超える基油と、
ｂ）前記潤滑油組成物の全重量に基づいて、０．０１重量％〜１０重量％の、式（Ｉ）
【化１】
2019157131.tif 000001
（式中、Ｒは１〜２０個の炭素原子を有するヒドロカルビル基であり、Ｒ１は水素および１〜２０個の炭素原子を有するヒドロカルビル基から選択される）のヒドロカルビル酸性ホスフェートと、
含窒素化合物との反応生成物であって、前記含窒素化合物が、
ｉ）式（ＩＩ）
【化２】
2019157131.tif 000002
（式中、Ｒ２およびＲ３はそれぞれ独立して、水素または１〜２０個の炭素原子を有するヒドロカルビル基から選択され、Ｒ４は１〜２０個の炭素原子を有するヒドロカルビル基である）の油溶性アミン、ならびに、
ｉｉ）式（ＩＩＩ）
【化３】
2019157131.tif 000003
（式中、Ｒ５、Ｒ６、Ｒ７、Ｒ８、およびＲ１１はそれぞれ独立して、水素および１〜１６０個の炭素原子を含有するヒドロカルビル基から選択され、
Ｒ９およびＲ１０は独立して、２〜２０個の炭素原子を含有するヒドロカルビレン基から選択され、ｎは０〜２０の整数であり、ｎ＞１の場合、各Ｒ１０は同一でも異なっていてもよく、各Ｒ１１は同一でも異なっていてもよい）の油溶性アミン、ならびに
ｉｉｉ）ヒドロカルビル置換スクシンイミド、から選択される、反応生成物と、
ｃ）式（ＩＶ）
【化４】
2019157131.tif 000004
（式中、Ｒ１２、Ｒ１３、およびＲ１４はそれぞれ独立して、１〜２０個の炭素原子を含有する炭化水素基から選択される）の油溶性ヒドロカルビルボレートであって、前記式（ＩＶ）の前記ヒドロカルビルボレートは少なくとも６個の炭素原子を含有する、油溶性ヒドロカルビルボレートと、を含み、
成分ｂ）により与えられるリンのモル数と、成分ｃ）により与えられるホウ素のモル数とのモル比が１：１〜１０：１である、潤滑油組成物。
【請求項２】
成分ｂ）により与えられるリンのモル数と、成分ｃ）により与えられるホウ素のモル数とのモル比が、１．３：１〜６：１である、請求項１に記載の潤滑油組成物。
【請求項３】
成分ｂ）により与えられるリンのモル数と、成分ｃ）により与えられるホウ素のモル数とのモル比が、１．４：１〜５．７５：１である、請求項１に記載の潤滑油組成物。
【請求項４】
Ｒ１２、Ｒ１３、およびＲ１４が独立して、直鎖アルキル、分岐鎖、アルキル、およびシクロアルキルから選択される、請求項１〜３のいずれか一項に記載の潤滑油組成物。
【請求項５】
前記ヒドロカルビル酸性ホスフェートが、前記潤滑油組成物の全重量に基づいて０．０１重量％〜５重量％の量で成分（ｂ）を製造するために使用される、請求項１〜４のいずれか一項に記載の潤滑油組成物。
【請求項６】
前記ヒドロカルビル酸性ホスフェートが、前記潤滑油組成物の全重量に基づいて０．１重量％〜２重量％の量で成分（ｂ）を製造するために使用される、請求項１〜４のいずれか一項に記載の潤滑油組成物。
【請求項７】
前記ヒドロカルビルボレート（ｃ）が、トリエチルボレートおよびトリブチルボレートから選択される、請求項１〜６のいずれか一項に記載の潤滑油組成物。
【請求項８】
前記ヒドロカルビル酸性ホスフェートが、アミルアシッドホスフェート、メチルアシッドホスフェート、ヘキシルアシッドホスフェート、および２−エチルヘキシルアシッドホスフェートからなる群から選択される、請求項１〜７のいずれか一項に記載の潤滑油組成物。
【請求項９】
前記ヒドロカルビル酸性ホスフェートが、アミルアシッドホスフェート、メチルアシッドホスフェート、およびヘキシルアシッドホスフェートからなる群から選択される、請求項１〜７のいずれか一項に記載の潤滑油組成物。
【請求項１０】
前記含窒素化合物が前記式（ＩＩ）のアミンであり、少なくとも８個の炭素原子を含有する、請求項１〜９のいずれか一項に記載の潤滑油組成物。
【請求項１１】
前記反応生成物（ｂ）が０．１重量％〜５重量％の量で存在する、請求項１〜１０のいずれか一項に記載の潤滑油組成物。
【請求項１２】
前記反応生成物（ｂ）が０．５重量％〜４重量％の量で存在する、請求項１〜１０のいずれか一項に記載の潤滑油組成物。
【請求項１３】
前記反応生成物（ｂ）が０．７５重量％〜３．７５重量％の量で存在する、請求項１〜１０のいずれか一項に記載の潤滑油組成物。
【請求項１４】
成分ｂ）が、前記潤滑油組成物の全重量に基づいて５０ｐｐｍ〜１５００ｐｐｍのリンを与える量で存在する、請求項１〜１３のいずれか一項に記載の潤滑油組成物。
【請求項１５】
成分ｂ）が、前記潤滑油組成物の全重量に基づいて３００〜１５００ｐｐｍのリンを与える量で存在する、請求項１〜１３のいずれか一項に記載の潤滑油組成物。
【請求項１６】
成分ｂ）が、前記潤滑油組成物の全重量に基づいて９００〜１２００ｐｐｍのリンを与える量で存在する、請求項１〜１３のいずれか一項に記載の潤滑油組成物。
【請求項１７】
成分ｃ）が、前記潤滑油組成物の全重量に基づいて５ｐｐｍ〜４００ｐｐｍのホウ素を与える量で存在する、請求項１〜１６のいずれか一項に記載の潤滑油組成物。
【請求項１８】
成分ｃ）が、前記潤滑油組成物の全重量に基づいて５５ｐｐｍ〜３７５ｐｐｍのホウ素を与える量で存在する、請求項１〜１６のいずれか一項に記載の潤滑油組成物。
【請求項１９】
前記成分ｂ）を製造するために、０．２：０．８の前記酸性ホスフェート成分と前記含窒素化合物とのモル比が使用される、請求項１〜１８のいずれか一項に記載の潤滑油組成物。
【請求項２０】
前記成分ｂ）を製造するために、０．４：０．７の前記酸性ホスフェート成分と前記含窒素化合物とのモル比が使用される、請求項１〜１８のいずれか一項に記載の潤滑油組成物。
【請求項２１】
Ｒが１〜１０個の炭素原子を含むヒドロカルビル基であり、Ｒ１が水素および１〜１０個の炭素原子を含むヒドロカルビル基から選択される、請求項１〜２０のいずれか一項に記載の潤滑油組成物。
【請求項２２】
Ｒが１〜６個の炭素原子を含むヒドロカルビル基であり、Ｒ１が水素および１〜１０個の炭素原子を含むヒドロカルビル基から選択される、請求項１〜２０のいずれか一項に記載の潤滑油組成物。
【請求項２３】
Ｒが１〜６個の炭素原子を有するヒドロカルビル基であり、Ｒ１が水素である、請求項１〜２０のいずれか一項に記載の潤滑油組成物。
【請求項２４】
前記含窒素化合物が、前記式（ＩＩ）のアミンであり、式中、Ｒ２が水素である、請求項１〜２３のいずれか一項に記載の潤滑油組成物。
【請求項２５】
前記含窒素化合物が、前記式（ＩＩ）のアミンであり、式中、Ｒ２およびＲ３が水素である、請求項１〜２３のいずれか一項に記載の潤滑油組成物。
【請求項２６】
前記含窒素化合物が、前記式（ＩＩＩ）のアミンであり、ｎ＝０であり、Ｒ９が２〜２０個の炭素原子を含むヒドロカルビレン基である、請求項１〜２３のいずれか一項に記載の潤滑油組成物。
【請求項２７】
前記含窒素化合物が、前記式（ＩＩＩ）のアミンであり、ｎが２〜５であり、Ｒ５〜Ｒ８およびＲ１１が水素であり、Ｒ９およびＲ１０が２個の炭素原子を含むヒドロカルビレン基である、請求項１〜２３のいずれか一項に記載の潤滑油組成物。
【請求項２８】
前記含窒素化合物が、成分ｉｉｉ）から選択され、かつモノ−アルケニルスクシンイミド、ビス−アルケニルスクシンイミド、およびポリイソブチレンスクシンイミドからなる群から選択される、請求項１〜２３のいずれか一項に記載の潤滑油組成物。
【請求項２９】
前記含窒素化合物が、オクタデセニルコハク酸無水物とテトラエチレンペンタミンとを反応させることによって調製されるモノ−アルケニルスクシンイミドである、請求項２８に記載の潤滑油組成物。
【請求項３０】
前記基油が、グループＩＶ基油、グループＶ基油、およびグループＩＶ基油とグループＶ基油との混合物から選択される、請求項１〜２９のいずれか一項に記載の潤滑油組成物。
【請求項３１】
無灰分散剤をさらに含む、請求項１〜３０のいずれか一項に記載の潤滑油組成物。
【請求項３２】
前記無灰分散剤がボレート化および／またはホスホリレート化されている、請求項３１に記載の潤滑油組成物。
【請求項３３】
清浄剤、腐食防止剤、酸化防止剤、粘度調整剤および摩擦調整剤からなる群から選択される１種以上の成分をさらに含む、請求項１〜３２のいずれか一項に記載の潤滑油組成物。
【請求項３４】
前記潤滑組成物がトランスミッション液である、請求項１〜３３のいずれか一項に記載の潤滑油組成物。
【請求項３５】
前記潤滑油組成物がギア油である、請求項１〜３３のいずれか一項に記載の潤滑油組成物。
【請求項３６】
トランスミッションにおけるギアスカッフィングを低減させる方法であって、請求項１〜３４のいずれか一項に記載の潤滑油組成物を用いて前記トランスミッションを潤滑する工程を含む、方法。